(57)【要約】      （修正有）【課題】本考案は、１０円硬貨または１００円硬貨を確実に保持し、子供等に公衆電話の使用方法を周知させる公衆電話活用カードを提供する。【解決手段】本考案は、公衆電話活用カードに関し、この公衆電話活用カードは、公衆電話の形態を模して表した表面と、電話番号を記入する欄を設けた裏面２０と、所定の硬貨を保持する保持手段３０と、を備え、保持手段３０は、前記表面と裏面２０の間を貫通する少なくとも一対のスリット３２、裏面２０に固定されたポケット、または裏面２０ならびに前記硬貨に粘着される両面粘着テープもしくは片面粘着テープである。【選択図】図２
0003213256.tif 000002
【実用新案登録請求の範囲】
【請求項１】
公衆電話の形態を模して表した表面と、
電話番号を記入する欄を設けた裏面と、
所定の硬貨を保持する保持手段と、を備え、
前記保持手段は、前記表面と前記裏面の間を貫通する少なくとも一対のスリット、前記裏面に固定されたポケット、または前記裏面ならびに前記硬貨に粘着される両面粘着テープもしくは片面粘着テープである、公衆電話活用カード。
【請求項２】
前記裏面には、緊急電話番号が表示された、請求項１に記載の公衆電話活用カード。
【請求項３】
前記裏面には、公衆電話から緊急電話をかける方法に関する説明が表示された、請求項１または２に記載の公衆電話活用カード。
【請求項４】
前記裏面には、公衆電話から緊急電話以外の電話をかける方法に関する説明が表示された、請求項１〜３のいずれか１項に記載の公衆電話活用カード。
【請求項５】
特定の地域における公衆電話の設置場所を示す地図あるいは場所が表示されるか、または特定の地域における公衆電話の設置場所を記入する欄が設けられた、請求項１〜４のいずれか１項に記載の公衆電話活用カード。
【考案の詳細な説明】
【技術分野】
【０００１】
本考案は、公衆電話活用カードに関し、とりわけ公衆電話の使用方法を理解していない者（子供等）に常に携帯させることにより、公衆電話の活用を支援する公衆電話活用カードに関する。
【背景技術】
【０００２】
昨今の携帯電話の普及に伴い、公衆電話の使用頻度は極端に少なくなっている。しかし、火事や地震、大規模な事故等が発生したときに、数多くの携帯電話ユーザが一斉に携帯電話を用いて通信しようとすると、携帯電話の基地局の通信処理能力を超えるために通信ができない場合がある。ところが公衆電話は、携帯電話が繋がらない場合であっても、比較的に繋がりやすく、そのメリットが再認識されている。例えば東日本震災の発生直後、携帯電話による通信ができず、公衆電話の前に長蛇の列ができたことはよく知られたところである。
【０００３】
また公衆電話は、電気通信事業法により、市街地では５００メートル四方に１台、それ以外の地域ではおよそ１キロメートル四方に１台、設置されることが義務付けられており、その台数には限りがあるものの、完全に無くなることはなく、確実に通信できる我が国の重要なインフラの１つである。
【０００４】
ただし、携帯電話が急速に発展し、その利便性が極めて高いこと、および公衆電話の設置台数が限定的であることにより、特に幼児または児童等の若い世代が公衆電話を利用できないという実態がある。例えば、小学１年生の子供に公衆電話を使えるかどうか試したところ、受話器を取り上げることなく、いきなりお金を投入して、お金が戻ってきて戸惑うしまったという報告もある。つまり数多くの小学生は、公衆電話をひとりで利用できない状況にある。
【０００５】
一方、中学生が巻き込まれた誘拐事件において、誘拐犯の隙を見て逃げ、公衆電話を用いて難を逃れたという事案があった。この誘拐事件では、誘拐された子供が公衆電話の利用方法を知っていたので、公衆電話を用いて保護者と通信することにより危険を回避することができた。
【０００６】
したがって、公衆電話を使い慣れていない幼児または児童等の子供たちに、公衆電話の使用方法を周知させることは、人災や事故等だけでなく、事件等を想定した場合にも、極めて重要なことである。
【０００７】
しかしながら、例えば非特許文献１は、総務省のホームページの一部であり、「公衆電話の特徴と使用方法」を説明しているが、一般には、子供だけでなく大人であっても、こうした総務省のホームページを閲覧することは稀であり、しかも実際に地震や大規模な事故等に遭遇した際には、携帯電話を利用できない場合が多く、前掲非特許文献１のようなホームページにアクセスすることはできない。
【０００８】
また、幼児または児童等の子供は、１０円硬貨または１００円硬貨を常に携帯しているとは限らず、むしろ防犯上の問題を未然防止するため、保護者により、あえて現金の所持が禁止されている場合も多い。しかし、緊急電話ならば１０硬貨等は必要でない場合もあるが（緊急電話でも１０硬貨等が必要な公衆電話が存在する。）、子供がそれ以外の一般の緊急を要する電話をかけたい場合、１０円硬貨等を所持していないと、公衆電話が目前にあっても利用できない状況が生じる。
【先行技術文献】
【非特許文献】
【０００９】
【非特許文献１】総務省「公衆電話の特徴と使用方法」、インターネット<http://www.soumu.go.jp/main_content/000162017.pdf>
【考案の概要】
【考案が解決しようとする課題】
【００１０】
そこで本考案の実施形態は、例えば幼児または児童等が常に携帯可能な軽量薄型のカードであって、所定の硬貨（現在のところ公衆電話で使用できる１０円硬貨または１００円硬貨）が確実に保持または固定され、緊急事態等に遭遇したときに、公衆電話をひとりで利用できるように公衆電話の使用方法を説明する公衆電話活用カードを提供することを目的とする。
【課題を解決するための手段】
【００１１】
本考案に係る態様は、公衆電話活用カードに関し、この公衆電話活用カードは、公衆電話の形態を模して表した表面と、電話番号を記入する欄を設けた裏面と、所定の硬貨を保持する保持手段と、を備え、前記保持手段は、前記表面と前記裏面の間を貫通する少なくとも一対のスリット、前記裏面に固定されたポケット、または前記裏面ならびに前記硬貨に粘着される両面粘着テープもしくは片面粘着テープである。
【００１２】
また前記裏面には、緊急電話番号（１１０番、１１９番等）が表示され、公衆電話から緊急電話をかける方法が表示されることがより好ましい。
【００１３】
同様に、前記裏面には、公衆電話から通常の電話をかける方法が表示されることが好ましい。
【００１４】
さらに特定の地域における公衆電話の設置場所を示す地図あるいは場所が表示されるか、または特定の地域における公衆電話の設置場所をユーザにより記入できる欄が設けられることが好ましい。
【考案の効果】
【００１５】
本考案の実施形態に係る公衆電話活用カードによれば、所定の硬貨（現在のところ公衆電話で使用できる１０円硬貨または１００円硬貨）を確実に保持し、幼児または児童等が緊急事態等に遭遇した場合であっても公衆電話をひとりで利用することができる。
【図面の簡単な説明】
【００１６】
【図１】本考案の実施形態に係る公衆電話活用カードの表面を表す平面図である。
【図２】本考案の実施形態に係る公衆電話活用カードの裏面を表す底面図である。
【図３】公衆電話活用カードの保持手段の変形例を示す概略図である。
【考案を実施するための形態】
【００１７】
添付図面を参照して、本考案に係る公衆電話活用カード１の実施形態を以下説明する。実施形態の説明において、理解を容易にするために方向を表す用語（たとえば「縦方向」および「横方向」等）を適宜用いるが、これは説明のためのものであって、これらの用語は本発明を限定するものでない。なお各図面において、各構成部品の形状または特徴を明確にするため、これらの寸法を相対的なものとして図示し、必ずしも同一の縮尺比で表したものではない。
【００１８】
本考案の実施形態に係る公衆電話活用カード１は、例えば厚紙やダンボール紙、薄いプラスティック等の部材で構成された軽量薄型のカードであって、幼児または児童等がランドセル等の鞄の中に入れて常に持ち歩くのに適した大きさおよび軽さを有するものである。
【００１９】
図１および図２はそれぞれ、本考案の実施形態に係る公衆電話活用カード１の表面１０および裏面２０を表す平面図および底面図である。公衆電話活用カード１の表面１０には、公衆電話の形態が模して表されている。すなわち公衆電話活用カード１の表面１０には、公衆電話の形態として、図１に示すように、硬貨を挿入するためのスリット、０〜９の数字等に対応するプッシュボタン、テレホンカードを挿入・返却するためのスリット、および硬貨返却口に相当する図形が表されている。
【００２０】
図１および図２に示す公衆電話活用カード１は、縦方向より横方向に長く構成され、図１の一点鎖線で山折に折り曲げて、３つ折りとし、より携帯しやすい形状とすることができる。
【００２１】
公衆電話活用カード１の裏面２０には、概略、所定の硬貨（現在のところ公衆電話で使用できる１０円硬貨または１００円硬貨）を確実に保持するための保持手段３０、緊急電話のかけ方の説明欄４０、公衆電話のかけ方の説明欄５０、自宅の電話番号の記入欄６０、および保護者等の携帯電話番号の記入欄７０が設けられている。
【００２２】
図１および図２に示す保持手段３０は、表面１０と裏面２０の間を貫通する少なくとも一対のスリットまたは切り込み３２である。この保持手段３０は、例えば１０円硬貨を図中の上方から下方に保持領域３４に向けて移動させて、一対の切り込み３２内に挿入して、公衆電話活用カード１の表面１０および裏面２０の間で狭持することにより、１０円硬貨または１００円硬貨を保持するように構成されている。公衆電話活用カード１は、弾性力または復元力を有する厚紙または薄いプラスティック等の部材で形成されているので、１０円硬貨または１００円硬貨がカード１の表面１０および裏面２０の間で狭持されているとき、公衆電話活用カード１の弾性力または復元力により１０円硬貨または１００円硬貨を確実に保持することができる。
【００２３】
本考案に係る保持手段３０は、１０円硬貨または１００円硬貨を確実に保持するものであれば任意のものを用いることができ、上記説明したスリットまたは切り込み３２に限定されない。別の保持手段３０は、図３（ａ）に示すように、上方に開口部３５を有するポケット３６であってもよい。このポケットは、例えば保持領域３４に貼り付けられたＵ字状の両面テープ３７、および両面テープの上に貼り付けられた別の厚紙等３８を用いて簡便に構成される。本考案に係る保持手段３０は、上述のものに限定されないが、公衆電話活用カード１として用いられることから、薄型のものであることが好ましい。
【００２４】
また保持手段３０は、上記説明した一対のスリットまたは切り込み３２およびポケット３６に加えて、図３（ｂ）に示すように、切り込み３２ならびに硬貨の一部を覆う片面粘着テープ３９を貼り付けて、硬貨をより確実に保持領域３４に保持するように構成してもよい。同様に、ポケット３６の開口部３５を覆う片面粘着テープを貼り付けて、硬貨をより確実に保持領域３４に保持するように構成してもよい（図示せず）。
【００２５】
さらにその他の保持手段３０は、保持領域３４に貼り付けた両面粘着テープ（図示せず）を用いて、硬貨を直接固定してもよい。また保持手段３０は、保持領域３４に硬貨を、片面粘着テープで覆うように直接貼り付けて固定してもよい。
【００２６】
緊急電話のかけ方の説明欄４０および公衆電話のかけ方の説明欄５０には、緊急電話のかけ方および公衆電話のかけ方について、子供等が読みやすい文章で、漢字にはルビをふり、図面等を採用することより、理解しやすく説明することが好ましい。
【００２７】
「緊急電話のかけ方」として、例えば図２に示すように、
１）受話器（じゅわき）をあげよう
２）赤い（あかい）ボタンがあるとき、ボタンをおしてから番号（ばんごう）をおしてね
赤い（あかい）ボタンがないとき、そのままボタンをおしてね
３）警察（けいさつ）をよぶ              １１０
４）救急車（きゅうきゅうしゃ）をよぶ    １１９
５）消防車（しょうぼうしゃ）をよぶ      １１９
６）「ツー」という音（おと）がしたら番号（ばんごう）をおして、おちついて話そう
等の項目を記載してもよい（括弧内は漢字のルビを示す。）。
【００２８】
同様に「公衆電話のかけ方」として、例えば図２に示すように、
１）受話器（じゅわき）をあげよう
２）１０円玉（１０えんだま）か１００円玉（１００えんだま）か
テレホンカードを入れてね
３）電話番号（でんわばんごう）を押（お）そう
４）相手（あいて）が電話（でんわ）にでたらお話（はなし）しよう
５）終（お）わったら受話器（じゅわき）をおこう
等の項目を記載してもよい（括弧内は漢字のルビを示す。）。
【００２９】
自宅の電話番号の記入欄６０には、「おうちの番号（ばんごう）」と題して、例えば子供の自宅の電話番号を記入できるようにしてもよい。また携帯電話番号の記入欄７０には、例えば子供の保護者等の携帯電話番号を記入できるようにしてもよい。
【００３０】
また、詳細図示しないが、公衆電話活用カード１は、その表面１０および裏面２０の余白部分に、近隣の特定地域における公衆電話の設置場所または設置場所を示す地図が表示されるものであってもよい。児童等が通う学校が一括して大量に作製する場合には、便利である。
【００３１】
択一的には、公衆電話活用カード１は、その表面１０および裏面２０の余白部分に、近隣の特定地域における公衆電話の設置場所または設置場所を示す地図を例えば子供の保護者により記入できる設置場所記入欄（図示せず）が設けることが好ましい。近隣の特定地域における公衆電話の設置場所を示す地図は、例えば以下のウェブサイトから簡単に入手することができ、これを印刷して公衆電話活用カード１の設置場所記入欄に貼り付けることにより、児童等が確実に公衆電話にアクセスすることができる。
http://service.geospace.jp/ptd-ntteast/PublicTelSite/TopPage/
http://www.ntt-west.co.jp/ptd/map/
【産業上の利用可能性】
【００３２】
本考案に係る公衆電話活用カードは、所定の硬貨（現在のところ公衆電話で使用できる１０円硬貨または１００円硬貨）を確実に保持し、子供等に公衆電話の使用方法を周知させるツールとして利用することができる。
【符号の説明】
【００３３】
１…公衆電話活用カード
１０…公衆電話活用カードの表面
２０…公衆電話活用カードの裏面
３０…硬貨の保持手段、３２…一対のスリットまたは切り込み、３４…保持領域
３５…開口部、３６…ポケット、３７…Ｕ字状の両面テープ、３８…厚紙等
４０…緊急電話のかけ方の説明欄
５０…公衆電話のかけ方の説明欄
６０…自宅の電話番号の記入欄
７０…携帯電話番号の記入欄
【図１】
0003213256.tif 000003
【図２】
0003213256.tif 000004
【図３】
0003213256.tif 000005